(57)【要約】【課題】ステンシルにより着色されるシート状物を差し込んで固定することができ、かつ使用者が切り抜き部と間違えないような、シート状物の固定部分を有するステンシルプレートを提供する。【解決手段】シート状物１０の表面に重ねられるとシート状物１０を露出させる切り抜き部２が設けられたステンシルプレート１に、切り抜き部２とは異なる一次元的な外観を有し、かつインキを通過させにくい筋状の切れ目３を設け、この切れ目３にシート状物１０の辺または角を差し込んで、ステンシル作業の間、シート状物を固定できるようにする。【選択図】図１
2008086968.tif 000002
【特許請求の範囲】
【請求項１】
シート状物の表面の一部を着色するために用いるステンシルプレートであって、
シート状物を露出させる切り抜き部、および
シート状物の辺および／または角を差し込む切れ目
が設けられたステンシルプレート。
【発明の詳細な説明】
【技術分野】
【０００１】
本発明は、シート状物の表面の一部を、文字、図形および図柄等として着色するためのステンシルプレートに関する。
【背景技術】
【０００２】
ステンシルプレートは、例えば、紙および布等のシート状物（例えば、年賀状およびカード等）の表面に、所定の文字、図形および／または図柄を、所望の色で表示するための道具として、広く使用されている。一般に、ステンシルプレートには、シート状物の表面に表示すべき図形等に対応する切り抜き部が設けられている。このステンシルプレートをシート状物の表面に重ねて、切り抜き部の上から専用のインキ等を含ませた筆またはスタンプ等をシート状物に当てると、切り抜き部の形に応じて、図形等が着色されて表示される。
【０００３】
ステンシルの際には、ステンシルプレートがシート状物からずれないように、ステンシルプレートをシート状物にテープ等で固定する。特に、複数のインキを使用して、多色の図形等を表示する場合には、インキを変えている間に切り抜き部がずれないように、しっかりとステンシルプレートを固定する必要がある。しかし、テープによる固定は、シート状物を取り替えるたびに、テープを剥がし、再度テープを取り付けるという作業を繰り返す必要があるため、多数のシート状物をまとめて扱うときには（例えば、年賀状の作成の際には）、不便である。
【０００４】
そこで、登録実用新案公報第３０８８１７２号公報（特許文献１）には、ハガキ等用紙の辺部や角部を引っ掛けたり、差し込んだりして係止することによる位置ずれを防止できる係止孔を設けたステンシルが提案されている。このステンシル（本明細書にいうステンシルプレートに相当）を用いるときには、半円状の係止孔にハガキ等用紙の辺を引っ掛ける、または斜線状の係止孔にハガキ等用紙の角部を差し込むだけで、ハガキ等用紙を固定することができるので、使い勝手が良好である。
【特許文献１】登録実用新案公報第３０８８１７２号公報
【発明の開示】
【発明が解決しようとする課題】
【０００５】
特許文献１に記載のステンシルは、ハガキ等用紙を固定するための係止孔が、ステンシルプレートを切り抜いた形態のものであって、二次元的な広がりを有するため、その外観は、図形等を表示するための切り抜き部（引用文献１でいう「型抜孔」に相当）と変わらない。そのため、使用者によっては、この係止孔を、係止のために用いるものでなく、インキを通過させる切り抜き部と認識することがある。その場合、ハガキ等用紙を固定するために係止孔が有効に使用されないだけでなく、シート状物において不要な部分が着色されて、ステンシルの仕上がりが損なわれることがある。
【０００６】
本発明は、上記係止孔の不都合を解消したステンシルプレートであって、シート状物を固定する部分と切り抜き部とが混同されにくい、ステンシルプレートを提供することを目的とする。
【課題を解決するための手段】
【０００７】
本発明は、シート状物の表面の一部を着色するために用いるステンシルプレートであって、
シート状物を露出させる切り抜き部、および
シート状物の辺および／または角を差し込む切れ目
が設けられたステンシルプレートを提供する。ここで、「切れ目」とは、ステンシルプレートの一部を分離している一次元的な筋状の部分をいう。「切り抜き部」は、シート状物の表面に表示すべき、文字、図形および／または模様の形状を有し、二次元の開口部として形成される。
【０００８】
本発明のステンシルプレートは、シート状物を固定するために、シート状物の辺または角を差し込む切れ目が設けられていることを特徴とする。切れ目は筋状であり、切り抜き部とは、明らかに異なる外観を有する。また、切れ目は筋状であって、インキを通過させにくい。さらにまた、切れ目は、一次元的な筋状部であり、シートの角または辺に対して狭い差し込み通路しか与えないため、シート状物をより強く固定する。
【発明の効果】
【０００９】
本発明のステンシルプレートは、シート状物を差し込むようになっている切れ目が設けられていることを特徴とする。この切れ目は、シート状物を強く固定することができる。また、この切れ目は、切り抜き部と間違えられにくいので、誤ってシート状物の不適当な部分が着色されることを防止する。さらに、切れ目は、その上から使用者が誤って筆等を当てても、その下に位置するシート状物を着色しない又は着色させにくい。よって、本発明のステンシルプレートは、例えば、年賀状作成のように、一枚または複数枚のステンシルプレートを用いて、多数のシート状物に同じ図形等を描画したいときに、好ましく用いられる。
【発明を実施するための最良の形態】
【００１０】
本発明のステンシルプレートの一例を、図面を参照して説明する。図１は、本発明のステンシルプレートの平面図であり、図２は、図１に示すステンシルプレートをシート状物の一辺を切れ目に差し込んで重ねた状態を示す平面図である。図示したステンシルプレート１は、切り抜き部２および切れ目３を有し、シート状物１０に重ねられて使用される。図２においては、ステンシルプレート１がシート状物１０に重ねられていることを明確にするために、四隅の１つ（右下）をめくった状態で示している。実際の使用に際しては、ステンシルプレートは、一般に、プレート全体をシート状物にぴったりとあてて使用される。
【００１１】
ステンシルプレート１０は、インキを通過させないような材料を選択して構成されるシート状物である。ステンシルプレート１０は、例えば、合成紙のような紙、またはプラスチックフィルムもしくはプラスチックシートで形成される。
【００１２】
切り抜き部２は、シート状物１０に表示すべき図形等に応じて、ステンシルプレートが切り抜かれた部分である。切り抜き部２は常套の方法で形成され、例えば、図形等に応じて作製された打ち抜き刃もしくは刃型を用いて形成することができ、またはカッターもしくはレーザ等を用いて所望の図形等を切り抜く方法で形成することができる。ステンシルプレート１をシート状物１０に重ねると、切り抜き部２にてシート状物１０が露出する。この状態で、インキを含ませた筆またはスタンプ等を当てると、インキが切り抜き部２を通って、シート状物１０に移り、シート状物１０が着色される。ステンシルプレート１０は、前述のようにインキ不透過性であるので、切り抜き部２以外の部分で筆またはスタンプ等が当てられても、当該部分の下にあるシート状物は着色されないか、あるいは着色されにくい。
【００１３】
切れ目３は２箇所で設けられており、各切れ目３は半円形である。この切れ目３には、シート状物１０の辺を差し込むことができる（または、シート状物１０の辺を引っ掛けることができる）。シート状物１０が差し込まれると、切れ目３の半円部分がシート状物１０の下に入ることとなる。切れ目３は筋状であるため、シート状物１０は切れ目３に割って入るようにして差し込まれることとなり、しっかりとステンシルプレート１に固定される。
【００１４】
図示したステンシルプレート１は長方形であり、一方の長辺の一点と他方の長辺を結ぶ最も短い線分Ｌの長さ（即ち、短辺と平行な方向の線分の寸法）が、長方形のシート状物１０の短辺Ｓの長さと同じである。即ち、ステンシルプレートおよびシート状物の短辺を幅と規定する場合には、両者は同じ幅を有するといえる。切れ目３には、シート状物１０の２つの短辺のうち、一方の短辺が差し込まれている。このとき、シート状物１０の短辺Ｓがステンシルプレート１の線分Ｌと一致し、また、ステンシルプレートは線分Ｌと同じ寸法の短辺を有する長方形であるため、シート状物１０とステンシルプレート１とは、短辺と平行な方向（幅方向）において、一方が他方からはみ出ないようにぴったりと重ねることができる。
【００１５】
寸法が上記のような関係を満たすステンシルプレート１とシート状物１０とを組み合わせることにより、複数のシート状物１０に図形等を表示する場合（例えば、官製ハガキに同じ図形等を表示する場合）には、シート状物１０の同じ位置に、同じ図形等を表示させることができる。また、図示したような関係の寸法を有するステンシルプレートおよびシート状物を使用すると、ステンシルプレートが作業中にずれたときでも、容易にプレートの位置を正しい位置に戻すことができるという点でも好都合である。さらに、複数枚のステンシルプレートを用いて１枚のシート状物を着色する場合に、各プレートの寸法とシート状物の寸法とが上記の関係を満たすと、各プレートによる図形等が適切に位置合わせされて、所望のデザインをシート状物上で表現できる。
【００１６】
図２においては、長方形のステンシルプレートおよびシート状物の短辺を同じ寸法としている。他の形態においては、長方形のステンシルプレートおよびシート状物の長辺を同じ寸法として、長方形のシート状物の長辺を差し込むように、ステンシルプレートの長辺側に切れ目を設けてよい。あるいは、ステンシルプレートは、長方形以外の形状であってよく、例えば、シート状物の１つの辺の寸法と同じ寸法を有する線分が一本のみ存在するような形状であってよい。
【００１７】
即ち、シート状物の寸法が予め分かっているときには、ステンシルプレート全体の寸法を、ステンシルプレートの輪郭の任意の二点を結ぶ線分（但し、輪郭を形成する線分を除く）のうち、少なくとも１つの線分がシート状物の一辺の寸法と同じとなるように選択し、かつ切れ目を、切れ目にシート状物の当該一辺を差し込んだときに、シート状物の当該一辺と重なるように設けることによって、ステンシルプレートの位置合わせを容易に実施できることとなる。このようなステンシルプレートにおいては、シート状物の辺と一致する線分または当該線分の両端をステンシルプレートに表示して、シート状物との位置合わせをより容易にしてよい。
【００１８】
切れ目３の寸法および形状は特に限定されず、シート状物１０を差し込んで固定できるのに十分な寸法および形状となるように形成される。図示したように、切れ目３を半円形とする場合には、例えば、半径３ｍｍ〜７ｍｍ程度の半円形として形成することが好ましく、半径４ｍｍ〜６ｍｍ程度の半円形として形成することがより好ましい。切れ目の形状は半円形に限定されず、他の形状であってよい。例えば、切れ目は、シート状物を差し込んだときにシート状物の下に入る部分の形状が、例えば、図３（ａ）〜（ｄ）にそれぞれ示すように、半楕円形、三角形、四角形、弓形、または円から弓形を切り取った形状となるように形成してよい。図示した三角形および四角形の角部は、必要に応じて丸く形成してよい。
【００１９】
あるいは、切れ目３は、シート状物の角を差し込むことができる位置及び形状を選択して、形成してよい。その場合、切れ目３は、着色すべきシート状物の寸法に応じて、当該シート状物の角に対応する位置に、例えば、図４（ａ）に示すように斜線として形成し、シート状物を差し込んだときに、シート状物の下に入る部分が略三角形となるようにしてよい。あるいは、切れ目３は、図４（ｂ）に示すように、シート状物の下に入る部分が扇形となるように、四半円形としてよい。
【００２０】
切れ目３は、任意の手法を用いて形成することができ、カッター等を用いて、薄い刃物をステンシルプレートに入れることにより、形成することが好ましい。あるいは、切れ目３は、レーザ切断加工により形成してよい。あるいは、切れ目３は、ハサミ等を用いて形成してよい。
【００２１】
シート状物１０は、紙または布のような、厚みが小さくて、ステンシルプレート１に挟むことが可能なものである。シート状物１０は、好ましくは官製ハガキ、特に年賀ハガキである。シート状物１０は、インキの種類およびステンシルプレートの材料を適宜選択することにより、プラスチックから成るフィルムまたはシート、または木製もしくは金属製のシートであってよい。シート状物１０は、ステンシルにより着色し、必要に応じてニス等をさらに塗って完成する製品（例えば、コースターまたは壁飾り等）として提供されてよい。
【００２２】
図示したステンシルプレート、およびこれを用いて着色するシート状物は、図示したものに限定されない。例えば、図示したステンシルプレートは、ステンシルプレートの短辺からはみ出るような大きい寸法のシート状物を着色するために用いてもよい。また、切れ目の数は、２つに限定されず、１つであってよく、または３以上であってよい。また、辺と角をともに差し込み可能なように、図３（ａ）−（ｄ）に示す切れ目と図４（ａ）および（ｂ）に示す切れ目を組み合わせてよい。
【産業上の利用可能性】
【００２３】
本発明のステンシルプレートは、同一の多数枚のシート状物に、同一の図柄等を表示するのに好都合であり、例えば、年賀状、暑中見舞い及び各種カード（クリスマスカード等）を作成するためのステンシルプレートとして有用である。
【図面の簡単な説明】
【００２４】
【図１】本発明のステンシルプレートの一例を、示す平面図である。
【図２】本発明のステンシルプレートの一例を、シート状物に重ねた状態にて示す平面図である。
【図３】（ａ）〜（ｄ）はそれぞれ、本発明のステンシルプレートに設けられる切れ目の形状を示す、本発明のステンシルプレートの一部拡大平面図である。
【図４】（ａ）および（ｂ）は、本発明のステンシルプレートに設けられる切れ目の形状を示す、本発明のステンシルプレートの一部拡大平面図である。
【符号の説明】
【００２５】
１  ステンシルプレート
２  切り抜き部
３  切れ目
１０  シート状物
【図１】
2008086968.tif 000003
【図２】
2008086968.tif 000004
【図３】
2008086968.tif 000005
【図４】
2008086968.tif 000006